(57)【要約】  少なくとも１つの流体媒体を案内するための、特にＳＣＲ触媒コンバータシステム用の尿素溶液を案内するための自動車用流体路である。前記自動車用流体路は、少なくとも１つの流体搬送用の導管と、前記導管に接続される少なくとも１つの流体搬送用のコネクタとを備える。前記導管は、その長さＬの少なくとも一部にわたって延びる外側路と、前記外側路内に収容され、その長さＬの少なくとも一部にわたって延びる内側路とを備える。前記コネクタは、前記外側路と流体連通している第１の接続分岐を備えるとともに、前記内側路と流体連通している第２の接続分岐を備える。【選択図】図１
2019529764.tif 000002
【特許請求の範囲】
【請求項１】
少なくとも１つの流体媒体を案内するための、特にＳＣＲ触媒コンバータシステム用の尿素溶液を案内するための自動車用流体路であって、
少なくとも１つの流体搬送用の導管（１）と、
前記導管（１）に接続される少なくとも１つの流体搬送用のコネクタ（２）とを備え、
前記導管（１）は、
前記導管（１）の長さＬの少なくとも一部にわたって延びる、流体搬送用の外側路（３）と、
前記外側路（３）内に収容され、前記外側路（３）に沿って前記導管（１）の長さＬの少なくとも一部にわたって延びる流体搬送用の内側路（４）とを備え、
前記コネクタ（２）は、
前記外側路（３）と流体連通している少なくとも１つの又は１つの第１の接続分岐（５）と、
前記内側路（４）と流体連通している少なくとも１つの又は１つの第２の接続分岐（６）とを備える
ことを特徴とする自動車用流体路。
【請求項２】
請求項１に記載の自動車用流体路であって、
前記導管（１）は、前記コネクタ（２）に直接接続されている
ことを特徴とする自動車用流体路。
【請求項３】
請求項１又は２に記載の自動車用流体路であって、
前記外側路（３）、又は、前記内側路（４）、又は、その両方が、前記コネクタ（２）に接合されている
ことを特徴とする自動車用流体路。
【請求項４】
請求項３に記載の自動車用流体路であって、
前記外側路（３）又は前記内側路（４）又はその両方が、スピン溶接接続又はレーザ溶接接続又はその両方によって、前記コネクタ（２）に接続されている
ことを特徴とする自動車用流体路。
【請求項５】
請求項１〜４のいずれか一項に記載の自動車用流体路であって、
前記外側路（３）は、前記内側路（４）と平行に又は略平行に配置される
ことを特徴とする自動車用流体路。
【請求項６】
請求項１〜５のいずれか一項に記載の自動車用流体路であって、
前記外側路（３）と前記内側路（４）とが、互いに対して同軸に又は略同軸に配置される
ことを特徴とする自動車用流体路。
【請求項７】
請求項１〜６のいずれか一項に記載の自動車用流体路であって、
前記導管（１）は、前記導管（１）の長さＬの一部にわたって、単一の流体ダクト（１１）として単に形成されており、
前記導管（１）は、前記導管（１）の長さＬの別の一部にわたって、前記外側路（３）及び前記内側路（４）の形態である
ことを特徴とする自動車用流体路。
【請求項８】
請求項１〜７のいずれか一項に記載の自動車用流体路であって、
流体媒体は、特に前記尿素溶液は、前記外側路（３）及び前記内側路（４）を同じ方向に流れる又は流れることができる
ことを特徴とする自動車用流体路。
【請求項９】
請求項１〜８のいずれか一項に記載の自動車用流体路であって、
前記導管（１）は、その長さＬの少なくとも一部が、好ましくはその長さＬ全体が、加熱されるように形成される
ことを特徴とする自動車用流体路。
【請求項１０】
請求項１〜９のいずれか一項に記載の自動車用流体路であって、
前記外側路（３）が、少なくとも１つの加熱手段薬剤を備え、好ましくは少なくとも１つの加熱手段により包囲される
ことを特徴とする自動車用流体路。
【請求項１１】
請求項１０に記載の自動車用流体路であって、
前記少なくとも１つの加熱手段が、電熱線（８）の形態であるか、又は、面状発熱手段の形態であるか、又は、その両方である
ことを特徴とする自動車用流体路。
【請求項１２】
請求項１〜１１のいずれか一項に記載の自動車用流体路であって、
前記導管（１）は、流体搬送用保護導管（７）により包囲される
ことを特徴とする自動車用流体路。
【請求項１３】
請求項１〜９のいずれか一項に記載の自動車用流体路であって、
前記コネクタ（２）が、少なくとも２つの平行な又は略平行な流体ダクト（９、１０）を備え、
前記流体ダクト（９、１０）はそれぞれ、前記コネクタ（２）の接続分岐（５、６）に接続される
ことを特徴とする自動車用流体路。
【請求項１４】
請求項１〜１０のいずれか一項に記載の自動車用流体路であって、
前記流体媒体を計量された態様で供給するための計量装置が、前記コネクタ（２）の前記接続分岐（５、６）それぞれに設けられている
ことを特徴とする自動車用流体路。
【請求項１５】
自動車用流体路を、特に請求項１〜１４のいずれか一項に記載の自動車用流体路を製造するための方法であって、
コネクタ（２）が、内側路（４）に接合され、
次に、前記コネクタ（２）と前記内側路（４）とから成るユニットが、外側路（３）に接続され、
前記内側路（４）が、前記外側路（３）内に導入又は挿入され、
次に、前記外側路（３）が、前記コネクタ（２）に接合される
ことを特徴とする方法。
【発明の詳細な説明】
【技術分野】
【０００１】
本発明は、少なくとも１つの流体媒体を案内するための、特にＳＣＲ触媒コンバータシステム用の尿素溶液を案内するための自動車用流体路であって、少なくとも１つの流体搬送用の導管と、この導管に接続される少なくとも１つの流体搬送用のコネクタとが備えることを特徴とする自動車用流体路に関する。本発明の文脈では、コネクタは少なくとも２つの接続分岐を有し、流体媒体、特に尿素溶液は、これらの接続分岐によって案内されていく又は送り出される。流体媒体は、少なくとも１つの接続分岐を介してユニットに適切に案内される。ただし、このユニットは、計量装置であることが好ましい。この計量装置により流体媒体が計量された態様で供給することが可能になる。推奨される実施形態によれば、この計量装置により、流体媒体又は尿素溶液をＳＣＲ触媒コンバータシステムに計量された態様で供給することが可能になる。一般に、自動車には、特にディーゼルエンジンを含む車両には、排気ガスを処理するための、ＳＣＲ触媒コンバータを含むＳＣＲ触媒コンバータシステムが設けられている（ＳＣＲ：選択式還元触媒）。自動車の排気ガス中の一酸化窒素を効果的に還元するために、ＳＣＲ触媒コンバータの上流で、排気ガスに尿素溶液が計量された態様で加えられる。
【背景技術】
【０００２】
冒頭で述べた種類の自動車用流体路については、実務において種々の実施形態が知られており、特に、ＳＣＲ触媒コンバータシステム用の尿素溶液の案内に関連したものが同様に知られている。この事例において、導管に接続されるコネクタは、尿素溶液用の２つの接続分岐を有することができ、いずれの場合もこの尿素溶液をＳＣＲ触媒コンバータシステムに計量された態様で供給するために、これらの接続分岐を介して尿素溶液が計量装置に供給される。この事例において、導管は、導管壁により包囲される内側ダクトを１つだけ備える。流体媒体又は尿素溶液は、導管の内側ダクトを出てコネクタの２つの接続分岐に入る。このようなＳＣＲ触媒コンバータシステムを備える自動車のエンジンが停止されると、該ＳＣＲ触媒コンバータシステムは、特に導管及びコネクタは空になるか、又は、該導管及びコネクタから尿素溶液が除去される。その後、尿素溶液が該ＳＣＲ触媒コンバータシステムに再充填されると、特にコネクタの領域内で及び接続分岐の領域内で、渦又は泡又はその両方が、液流中に発生する。この渦又は泡又はその両方は、尿素溶液の均一な流れを妨害し、これにより、ＳＣＲ触媒コンバータシステム全体に悪影響を及ぼすことがある。
【０００３】
本発明の技術的な問題は、これらの欠点を回避可能な、冒頭で述べた種類の自動車用流体路を提供することである。
【発明の概要】
【課題を解決するための手段】
【０００４】
この技術的な問題を解決するために、本発明は、少なくとも１つの流体媒体を案内するための、特にＳＣＲ触媒コンバータシステム用の尿素溶液を案内するための自動車用流体路であって、少なくとも１つの流体搬送用の導管と、前記導管に接続される少なくとも１つの流体搬送用のコネクタとを備え、前記導管は、前記導管の長さＬの少なくとも一部にわたって延びる流体搬送用の外側路と、前記外側路に沿って前記導管の長さＬの少なくとも一部にわたって延びる流体搬送用の内側路とを備え、前記コネクタは、前記外側路と流体連通している少なくとも１つの又は１つの第１の接続分岐と、前記内側路と流体連通している少なくとも１つの又は１つの第２の接続分岐とを備えることを特徴とする自動車用流体路を提供する。
【０００５】
本発明の、特に推奨される実施形態によれば、導管、又は、外側路と内側路のいずれか又は両方が、プラスチック材料製であるか、又は、実質的にプラスチック材料製である。導管に接続されるコネクタは、適切にプラスチック材料製であるか、又は、実質的にプラスチック材料製である。
【０００６】
本発明の文脈では、前記導管はコネクタに直接接続されている。本発明の好ましい実施形態は、外側路又は内側路又はその両方が、コネクタに接合されることを特徴とする。これに関連して、本発明の非常に好ましい実施形態は、外側路又は内側路又はその両方が、スピン溶接接続又はレーザ溶接接続又はその両方によって、コネクタに接続されることを特徴とする。
【０００７】
本発明は、本発明による導管を流体搬送用外側路と流体搬送用内側路とに分割することにより、コネクタ内の、特に２つの接続分岐の領域内の、非均一な流れ状態を最小にできる又は事実上回避できるという知見に基づいている。これは、主に、本発明による自動車用流体路に流体媒体又は尿素溶液を充填する工程にも適用される。この事例では、実務において知られている自動車用流体路とは対照的に、特にコネクタの領域内で、特に導管と接続分岐との間の移行領域内で、流体媒体の流れが極めて均一であることを観察することができる。これに関連して、外側路と内側路とコネクタとがプラスチック材料製又はほぼプラスチック材料製であり、且つ、外側路と内側路とがコネクタに接合される又は好ましくはスピン溶接接続又はレーザ溶接接続によってコネクタに接続される実施形態も、特に重要である。この種の接続は、コネクタの領域内の又は接続分岐の領域内の流れの均質化に、驚くほど貢献する。
【０００８】
本発明の文脈では、導管の外側路は、導管の内側路と平行に又は略平行に配置される。本発明による自動車用流体路の、特に好ましい実施形態によれば、外側路と内側路とは、互いに対して同軸に又は略同軸に配置される。本発明の文脈では、外側路及び内側路の断面は、互いに対して同心円状に又は同心円状に配置される。外側路及び内側路の、この同軸配置又は同心円状配置は、導管が加熱される際に流体媒体又は尿素溶液を外側路と内側路の両方において非常に均一な態様で加熱できるという点で有利であり、好適である。更に、この実施形態は、２つの接続分岐での流れ状態を均一にすることに寄与するものである。
【０００９】
本発明によれば、前記導管は、その長さＬの少なくとも一部にわたって延びる外側路と、外側路内に収容され且つ前記長さＬの少なくとも一部にわたって延びる内側路とを備える。この事例において、本発明の文脈では、導管は、２つの接続分岐を有するコネクタに接続されているその領域内では、外側路及び内側路として形成される。本発明のある実施形態では、導管はその長さＬの少なくとも５０％にわたって外側路及び内側路として形成されており、好ましくは長さＬの少なくとも６０％、好ましくは長さＬの少なくとも７０％にわたって、外側路及び内側路として形成される。本発明の文脈では、導管は、その長さＬの一部にわたって、単一の流体ダクトとして単に形成される。従って、導管の長さＬの前記一部において、導管は、導管壁により囲まれるただ１つの内側ダクト又は流体ダクトを備える。更に、本発明の文脈では、該単一の流体ダクトを備える、導管の前記一部が、導管の部分であって外側路及び内側路を含む部分に、直接繋がる。従って、この事例において、内側路は、いわば、導管の流体ダクト又は内側ダクト内に突出する。既に指摘したように、好ましい実施形態によれば、２つの流路、又は、外側路と内側路が、導管の部分であって外側路及び内側路を含む部分において、互いと同軸に又は略同軸に配置される。
【００１０】
本発明の文脈では、流体媒体、特に尿素溶液は、外側路及び内側路を同じ方向に流れるものであり、適切には、少なくとも２つの接続分岐を有するコネクタの方向に流れる。この点において、本発明による自動車用流体路は、流体媒体が２つの平行な導管を又は同軸の導管を逆方向に流れるような実務においてそれ自体知られている自動車用流体路と相違する。実務において知られているこのような導管では、外側路を通して案内される流体媒体を使用して、内側路を通して案内される流体媒体の温度を制御し、又は、その逆も同様に行われる。本発明の文脈では、外側路又は内側路又はその両方を流れる流体媒体によって目標温度への単なる温度制御することは、行わないことが好ましい。従って、本発明の文脈では、流体媒体は外側路と内側路の両方を流れるが、温度制御媒体は存在しない。本発明による自動車用流体路を又は補助自動車用流体路の導管を、温度制御する又は加熱する好ましい実施形態を以下に記載する。
【００１１】
本発明の、推奨される実施形態によれば、前記導管はその長さＬの少なくとも一部にわたって加熱されるものであり、好ましくはその長さＬ全体にわたって、又は、実質的にその長さＬ全体にわたって、加熱されるものである。特にこの導管を流れる流体媒体がＳＣＲ触媒コンバータシステム用の尿素溶液又は尿素水溶液であるときに、本発明による自動車用流体路が加熱されるのが好ましく、又は、導管が加熱されるものである。このような尿素溶液又は尿素水溶液は、−１１℃を下回る温度では尿素が凍結し部分的に晶出するという点で不利である。結果として、尿素溶液をより機能的に確実に供給することは、妨害されるか又は完全に阻止される。その結果、問題になっている自動車の排気ガス中の一酸化窒素を効果的に減少させることが、低減又は阻止される。この欠点を回避するには、尿素溶液を搬送する導管を加熱することが適切である。
【００１２】
本発明による自動車用流体路の、特に推奨される実施形態によれば、外側路は、少なくとも１つの加熱手段を備えるものであり、好ましくは少なくとも１つの電熱線を備える。この外側路は、この加熱手段により又は少なくとも１つの電熱線により包囲されることが適切である。少なくとも１つの電熱線が、外側路の周りで螺旋又は渦巻の形状に巻回されることが賢明である。外側路はこの少なくとも１つの電熱線によって電気的に加熱されることが適切であり、このため電熱線は電源に接続される。本発明の別の変形例によれば、電気的に加熱される少なくとも１つの面状発熱手段を介して、導管を加熱すること可能であり、特に電気的に加熱される加熱箔、又は、電気的に加熱される加熱テープ、又は、プリント加熱構造体により、導管を加熱する可能である。次に、面状発熱手段は、適切には、導管の外側路の周りで巻回される。この点において、本発明のように導管が外側路と内側路とに分割されている場合は外側路が少なくとも１つの加熱手段によって又は少なくとも１つの電熱線又は面状発熱手段によって充分な程度まで加熱されるという知見に、本発明は基づいている。結果として、内側路を通して搬送される尿素溶液が凍結しないように、この尿素溶液の温度も充分な程度まで制御することができる。
【００１３】
本発明の、十分に試行された実施形態では、外側路及び内側路に接続されるコネクタも加熱されるものであり、好ましくは電気的に加熱される。この事例において、少なくとも１つの加熱手段又は電気的に加熱可能な加熱手段がコネクタの周りも巻回することが適切である。一方、コネクタがそれ自身の加熱手段を含まないことも可能である。
【００１４】
本発明による自動車用流体路の好ましい実施形態は、前記導管が保護導管により包囲されることを特徴としている。この事例において、導管と保護導管とが、互いと同軸に又は略同軸に配置されることが適切である。例として、本発明の一実施形態は、導管を包囲する保護導管が波型形状導管として形成されることを特徴としている。本発明の、十分に試行された実施形態によれば、保護導管が外側路を包囲し、外側路が内側路を包囲する。そして、保護導管と外側路と内側路とは、互いと同軸に又は略同軸に配置されることが好ましい。本発明の文脈では、保護導管と外側路と内側路とは、断面において互いと同軸に配向される。
【００１５】
本発明の特に推奨される実施形態は、コネクタは、少なくとも２つの流体ダクトを備え、好ましくは少なくとも２つの平行な又は略平行な流体ダクトを備え、これらの流体ダクトそれぞれがコネクタの接続分岐に接続されていることを特徴としている。本発明の文脈では、２つの流体ダクトは、いわば導管の外側路及び内側路の拡張部を形成し、外側路及び内側路の線状拡張部として形成されるのが適切である。コネクタの流体ダクトは、好ましくは、外側流体ダクト及び内側流体ダクトとしても形成され、外側流体ダクトは内側流体ダクトを包囲する。２つの流体ダクト（外側流体ダクト及び内側流体ダクト）は、互いと同軸に配置されることが推奨される。本発明の推奨される実施形態によれば、流体ダクト（内側流体ダクト及び外側流体ダクト）は、コネクタの接続分岐に直接接続される。ある変形では、コネクタの、１つの又は少なくとも１つの接続分岐が、導管の長手方向軸に対して及びコネクタの長手方向軸に対して、交差方向に配向され、好ましくは垂直に配向される。コネクタの、１つの又は少なくとも１つの接続分岐が、導管の線状拡張部として又はコネクタの流体ダクトの線状拡張部として形成されることが推奨される。この線状拡張部は、コネクタの内側流体ダクトに接続される接続分岐であることが適切である。コネクタの外側流体ダクトには、導管の長手方向軸に対して及びコネクタの長手方向軸に対して交差方向に又は垂直に配置される接続分岐が接続されることが好ましい。
【００１６】
本発明の文脈では、流体媒体を計量された態様で供給するための計量装置が、コネクタの各接続分岐に又はコネクタの接続分岐両方に接続されている。本発明の、特に好ましい実施形態によれば、尿素溶液を計量された態様で供給するために、ＳＣＲ触媒コンバータシステム用の計量装置が、コネクタの接続分岐それぞれに設けられている。この事例では、少なくとも１つの計量装置が、関連の自動車のエンジン室内に配置されるのが適切である。
【００１７】
本発明は、自動車用流体路を製造する方法であって、コネクタが内側路に接合され、次に、コネクタと内側路とから成るユニットが外側路に接続され、内側路が外側路内に導入又は挿入され、次に、外側路がコネクタに接合される方法を提供することにも関する。本発明の文脈では、内側路又は外側路又はその両方が、プラスチック材料製であるか又は実質的にプラスチック材料製である。更に、本発明の文脈では、内側路又は外側路又はその両方が、押出によって製造される。本発明の好ましい実施形態によれば、コネクタと内側路とから成るユニットに外側路が接続している上流で、第２のコネクタがこの外側路に接続される。また、当該第２のコネクタが外側路に接合されるのが好ましい。次に、第１のコネクタと内側路とから成るユニットと、第２のコネクタと外側路とから成るユニットの、これら２つのユニットは相互接続しており、これにより、内側路は外側路内に導入又は挿入され、次に、外側路が第１のコネクタに接合される。本発明の推奨される実施形態によれば、第１のコネクタ又は第２のコネクタ又はその両方が、クイックコネクタとして形成される。好ましくは、第１のコネクタ又は第２のコネクタ又はその両方が、射出成形によって製造される。上で既に詳述したように、本発明による方法の、特に好ましい実施形態は、内側路が、コネクタ又は第１のコネクタに、スピン溶接法又はレーザ溶接法により接続されるか、又は、外側路が、コネクタ又は第１のコネクタに、スピン溶接法により又はレーザ溶接法により接続されるか、又はその両方を特徴としている。コネクタは、レーザ透過材を含むことが特に好ましい。また、外側路及び第２のコネクタは、スピン溶接法又はレーザ溶接法によって接続されることが好ましい。
【００１８】
本発明は、本発明による自動車用流体路において、この自動車用流体路を流れる流体媒体又は尿素溶液の均一な流れは、流体媒体中に乱れた渦又は泡が一切無い状態で常に維持することが可能であるという知見に基づいている。このことは、特に、ＳＣＲ触媒コンバータシステムの、本発明による自動車用流体路を充填する際にも当てはまる。本発明による自動車用流体路では、とりわけ、導管とコネクタとの間の接続領域内の流れにおける不均衡を最小にする又は実際に回避することができる。従って、本発明による解決策では、流れ不均衡に起因するＳＣＲ触媒コンバータシステムへの悪影響を大きく排除することができる。それにもかかわらず、本発明による自動車用流体路と、外側路及び内側路に接続されるコネクタとを、単純なやり方で問題無く加熱又は電気的に加熱することも可能である。外側路と内側路の両方を流れる流体媒体を効果的に加熱することができ、又は、その温度を効果的に制御することができる。なお、本発明による自動車用流体路は、比較的少ない労力及び相対的に低いコストで製造可能である。強調すべき点としては、本発明による自動車用流体路の上述の利点は、構成要素間の接合が好ましいものであり、特にスピン溶接又はレーザ溶接によるものであることも含むことに優位性がある。
【００１９】
以下で、ただ１つの実施形態を示す図面を基に、本発明をより詳細に記載することにする。
【図面の簡単な説明】
【００２０】
【図１】本発明による自動車用流体路の概略側方断面図である。
【図２】図１の主題事項を通る断面Ａ‐Ａを概略的に示す。
【発明を実施するための形態】
【００２１】
図は、少なくとも１つの流体媒体を案内するための本発明による自動車用流体路であって、好ましくはＳＣＲ触媒コンバータシステム用の尿素溶液を案内するための自動車用流体路を示す。本実施形態では、本発明による自動車用流体路は、流体搬送用の導管１と、前記導管１に接続される流体搬送用のコネクタ２とを備える。好ましくは且つ本実施形態では、さらに、コネクタ２’又は第２のコネクタ２’が導管１の他端に接続される。
【００２２】
導管１は、その長さＬの一部Ｌ１にわたって延びる流体搬送用の外側路３と、外側路３内に収容されて外側路３に沿ってその長さＬの一部Ｌ１にわたって延びる流体搬送用の内側路４とを備える。適切には且つ本実施形態では、外側路３は内側路４と平行に配置されており、外側路３と内側路４とは、互いに対して同軸に配置されることが好ましい。好ましい実施形態においては且つ本実施形態では、導管１は、その長さＬの第２の部分Ｌ２にわたって、単に単一の流体ダクト１１の形態を有する。この場合においては、導管１の導管壁は、更なる分割をされていない状態の流体ダクト１１を包囲するだけである。
【００２３】
この実施形態では、流体媒体―好ましくは尿素溶液―は、外側路３及び内側路４を同じ方向に流れる。図１では、この流れの方向を、外側路３と内側路４の両方に矢印で示している。従って、流体媒体又は尿素溶液はコネクタ２に向かって流れる。
【００２４】
好ましい実施形態においては且つ本実施形態では、導管１は、流体搬送用のコネクタ２に直接接続されており、好ましくは且つ本実施形態では、このコネクタ２に接合されている。この場合、推奨によれば、そしてこの実施形態では、外側路３と内側路の両方ともコネクタ２に接合されている。外側路３と内側路４は、スピン溶接接続又はレーザ溶接接続によって、コネクタ２に接続されることが好ましい。
【００２５】
非常に好ましい実施形態においては且つ本実施形態では、導管１は加熱されるように形成される。この事例において、推奨によれば、そしてこの実施形態では、外側路３が、電気的に加熱可能な電熱線８により囲まれる。従って、外側路３にのみ加熱手段又は電熱線８が提供されるのであるが、本発明の文脈では、前記導管を加熱する結果として、内側路４内の流体媒体の温度も充分に制御することができる。適切には、そしてこの実施形態では、導管１は流体搬送用保護導管７により包囲され、この流体搬送用保護導管７は、推奨によれば、そしてこの実施形態では、流体搬送用波形導管として形成される。
【００２６】
図１において、特に、コネクタ２が２つの平行な流体ダクト９、１０を備え、これらの流体ダクトが、好ましくは且つ本実施形態では外側路３及び内側路４の線状拡張部を形成することを見ることができる。この事例において、内側流体ダクト９は内側路４の線状拡張部に相当し、外側流体ダクト１０は外側路３の線状拡張部に相当する。ここでは、外側流体ダクト１０はコネクタ２の内側流体ダクト９を包囲している。好ましくは且つ本実施形態では、コネクタ２の２つの流体ダクト９、１０は互いと同軸に配置される。２つの流体ダクト９、１０はそれぞれ、好ましくは且つ本実施形態では、コネクタ２の接続分岐５、６に接続される。本実施形態のこの事例において、１つの接続分岐６が、導管１の長手方向軸に対して又はコネクタ２の長手方向軸に対して、交差方向に又は垂直に配置される。この接続分岐６は、適切には且つこの実施形態では、外側流体ダクト１０に接続される。更なる接続分岐５が、内側路４及び内側流体ダクト９の線状拡張部を形成する。
【００２７】
好ましい実施形態によれば、コネクタ２の２つの接続分岐５、６はそれぞれ、流体媒体を計量された態様で供給するための計量装置（図には示さず）に接続される。この事例において、この計量装置には、ＳＣＲ触媒コンバータシステム用の計量装置が適切である。計量装置は、ＳＣＲ触媒コンバータシステムの又は関連の自動車の、種々の地点にて配置されることが好ましい。
【図１】
2019529764.tif 000003
【図２】
2019529764.tif 000004
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
ＳＣＲ触媒コンバータシステム用の少なくとも１つの流体媒体を案内するための自動車用流体路であって、
少なくとも１つの流体搬送用の導管（１）と、
前記導管（１）に接続される少なくとも１つの流体搬送用のコネクタ（２）とを備え、
前記導管（１）は、
前記導管（１）の長さＬの少なくとも一部にわたって延びる、流体搬送用の外側路（３）と、
前記外側路（３）内に収容され、前記外側路（３）に沿って前記導管（１）の長さＬの少なくとも一部にわたって延びる流体搬送用の内側路（４）とを備え、
前記外側路（３）は、少なくとも１つの加熱手段により包囲されており、
前記少なくとも１つの加熱手段は、電熱線（８）と面状加熱手段のうち、少なくとも１つの形態であり、
前記コネクタ（２）は、
前記外側路（３）と流体連通している第１の接続分岐（５）と、
前記内側路（４）と流体連通している第２の接続分岐（６）とを備える
ことを特徴とする自動車用流体路。
【請求項２】
請求項１に記載の自動車用流体路であって、
前記導管（１）は、前記コネクタ（２）に直接接続されている
ことを特徴とする自動車用流体路。
【請求項３】
請求項１に記載の自動車用流体路であって、
前記外側路（３）と前記内側路（４）のうち少なくとも１つは、前記コネクタ（２）に接合されている材である
ことを特徴とする自動車用流体路。
【請求項４】
請求項３に記載の自動車用流体路であって、
前記外側路（３）と前記内側路（４）のうち少なくとも１つは、スピン溶接接続とレーザ溶接接続のうち少なくとも１つによって、前記コネクタ（２）に接続されている
ことを特徴とする自動車用流体路。
【請求項５】
請求項１に記載の自動車用流体路であって、
前記外側路（３）は、前記内側路（４）と略平行に配置される
ことを特徴とする自動車用流体路。
【請求項６】
請求項１に記載の自動車用流体路であって、
前記外側路（３）と前記内側路（４）とが、互いに対して略同軸に配置される
ことを特徴とする自動車用流体路。
【請求項７】
請求項１に記載の自動車用流体路であって、
前記導管（１）は、前記導管（１）の長さＬの一部にわたって、単一の流体ダクト（１１）として単に形成されており、
前記導管（１）は、前記導管（１）の長さＬの別の一部にわたって、前記外側路（３）及び前記内側路（４）の形態である
ことを特徴とする自動車用流体路。
【請求項８】
請求項１に記載の自動車用流体路であって、
前記流体媒体は、前記外側路（３）及び前記内側路（４）を同じ方向に流れる又は流れることができる
ことを特徴とする自動車用流体路。
【請求項９】
請求項１に記載の自動車用流体路であって、
前記導管（１）は、その長さＬの少なくとも一部が加熱されるように形成される
ことを特徴とする自動車用流体路。
【請求項１０】
請求項１に記載の自動車用流体路であって、
前記導管（１）は、流体搬送用保護導管（７）により包囲される
ことを特徴とする自動車用流体路。
【請求項１１】
請求項１に記載の自動車用流体路であって、
前記コネクタ（２）が、少なくとも２つの平行な又は略平行な流体ダクト（９、１０）を備え、
前記流体ダクト（９、１０）はそれぞれ、前記コネクタ（２）の接続分岐（５、６）に接続される
ことを特徴とする自動車用流体路。
【請求項１２】
請求項１に記載の自動車用流体路であって、
前記流体媒体を計量供給するための計量装置が、前記コネクタ（２）の前記接続分岐（５、６）それぞれに設けられている
ことを特徴とする自動車用流体路。
【請求項１３】
自動車用流体路を、特に請求項１に記載の自動車用流体路を製造するための方法であって、
コネクタ（２）は、内側路（４）に接合された材であり、
次に、前記コネクタ（２）と前記内側路（４）とから成るユニットが、外側路（３）に接続され、
前記内側路（４）が、前記外側路（３）内に導入又は挿入され、
次に、前記外側路（３）が、前記コネクタ（２）に接合され、
前記外側路（３）は、少なくとも１つの加熱手段を備え、少なくとも１つの加熱手段により包囲されており、
前記少なくとも１つの加熱手段は、電熱線（８）として構成されている
ことを特徴とする方法。
【手続補正２】
【補正対象書類名】明細書
【補正対象項目名】０００４
【補正方法】変更
【補正の内容】
【０００４】
この技術的な問題を解決するために、本発明は、ＳＣＲ触媒コンバータシステム用の少なくとも１つの流体媒体を案内するための自動車用流体路であって、少なくとも１つの流体搬送用の導管と、前記導管に接続される少なくとも１つの流体搬送用のコネクタとを備え、前記導管は、前記導管の長さＬの少なくとも一部にわたって延びる、流体搬送用の外側路と、前記外側路内に収容され、前記外側路に沿って前記導管の長さＬの少なくとも一部にわたって延びる流体搬送用の内側路とを備え、前記外側路は、少なくとも１つの加熱手段により包囲されており、前記少なくとも１つの加熱手段は、電熱線と面状加熱手段のうち、少なくとも１つの形態であり、前記コネクタは、前記外側路と流体連通している第１の接続分岐と、前記内側路と流体連通している第２の接続分岐とを備えることを特徴とする自動車用流体路を提供する。
【国際調査報告】
2019529764.tif 000005
2019529764.tif 000006
2019529764.tif 000007
2019529764.tif 000008